(57)【要約】【課題】化粧筆は口金部の内側や毛部分にカビ雑菌が発生繁殖しやすい。本発明はこれを防止する為、多様な形状・外観をした化粧筆を出来るだけたくさんの本数を限られた平面空間に効率的に配置することができ、また様々な軸長と毛先長の筆を超音波洗浄機の液面に同時に浸漬することができ、さらに乾燥・殺菌・保管する為の手段を提供する。【解決手段】本発明は、筆を保持する軸をパーツ増減かバネ式等の方法によって長さ調整可能な構造とし、次に筆を保持する方法として板バネやコイルバネを使用して挟むかバンド式にして長さ調整して保持するか、あるいは吊り下げ軸の先端に差し込み棒を付けるか吊り下げ軸全体を差し込み棒として筆の軸に開けた穴にその差し込み棒を差し込むことで保持する方法を特徴とする。【選択図】図１１
2016154824.tif 000002
【特許請求の範囲】
【請求項１】
本発明は、背板を利用して化粧筆を吊り下げる場合の、背板と筆の距離が調節できる機能を持った軸と、筆を保持・クランプする機構を一体的に結合したものであるが、まず筆の吊り下げ軸の長さを利用者が自由に調節できる構造として、軸を複数のパーツに分け、希望する長さに合わせてパーツを追加又は取り外しが出来る構造とするか、軸の中にバネを入れて伸縮させ長さを決めたところで固定できる構造とするか、軸全体を差し込み棒として差し込み棒上の最適な位置まで筆をスライドさせることが可能な構造とし、次に筆を保持する機構を多様な太さ・長さ・形状の筆を吊り下げ軸に保持或いはクランプする機構は、板バネを使用して軸を両側から挟む板バネ式クランプ、洗濯バサミのようにコイルバネを利用して挟むコイルバネ式クランプ、革製などのバンドでバンド長さをバンド長さ調整ツマミで調節するバンド式クランプ、吊り下げ軸の先端に差し込み棒を付けるか吊り下げ軸全体を差し込み棒として、筆の軸に開けた穴にその差し込み棒を差し込むか、筆に紐を通して輪状とし差し込み棒に引っ掛けることで吊り下げる方法等をとることを特徴とする化粧筆の洗浄・乾燥・殺菌・保管の為の筆吊り下げ治具。
【発明の詳細な説明】
【技術分野】
【０００１】  本発明は、化粧筆を手洗いした後に乾燥させる際、また超音波洗浄機を利用して洗浄する際の液中への筆吊り下げとその後の乾燥・殺菌・保管等の為に効果的に筆を吊り下げる化粧筆の洗浄・乾燥・殺菌・保管の為の筆吊り下げ治具に関するものである。
【背景技術】
【０００２】  先行技術として、筆の軸に環状のへこみを作り、切込み加工され高さ固定で水平設置された金属板に筆のそのへこみ部分を水平に差し込んで吊り下げるものがある（文献１）。
また化粧筆以外の分野では、軸の頭に紐で輪を作るか、軸の頭に穴を開けて釘などを利用して吊り下げる方法があるが、いずれもすべて高さや取付板との距離を調整できない方式となっている。
【先行技術文献】
【特許文献】
【０００３】
【特許文献１】特許公開平８−１０８６７５号公報
【発明の概要】
【発明が解決しようとする課題】
【０００４】  化粧筆は口金部の内側や毛部分にカビ雑菌が発生繁殖しやすい。これまで業界では化粧筆に雑菌が発生するという認識はあったものの、そのような情報発信は殆どされておらず、その為、筆を洗浄したり、雑菌の発生を防いだり、殺菌したりという為の手段や治具は提案・提供されていない。化粧を仕事として行なう人はもちろん個人でも用途・目的に合わせて多くの化粧筆を所持している人が殆どと聞いている。多様な形状・外観をした化粧筆を限られたスペースに出来るだけ多くの本数を同時に効率的に配置して洗浄・乾燥・殺菌・保管できる方法・治具が必要である。
ごく普通に使用した筆を公的検査機関で調べたところ、筆の毛部分から黄色ブドウ球菌を含む雑菌が多数検出された。筆にこのような人体に有害な雑菌が付着した状態で使用することは万人が避けたいと願うことである。このような筆を使用した後に「肌荒れ」「食中毒」などの現象が発生した場合、その原因を直ちに化粧品や食物の所為にすることは正当ではない。このような状況を避ける為には雑菌が極めて発生しやすい化粧筆を絶えず出来るだけ雑菌の無い状態かそれに近い状態を維持しておくことが必要である。
その為には化粧筆自体の従来の構造を改めて雑菌の発生しにくい構造にすることと、使用後に容易に洗浄・殺菌・乾燥・保管が出来るような治具を使用者に対して提供することが必要である。従来の先行技術ではこれらの条件を満たすことは困難であり、既に弊方から特許願提出済みの「化粧筆の洗浄及び乾燥殺菌と保管の為の器具」（特願ー２０１４−２３３１１７）と「化粧筆及び洗顔筆の構造」（特願２０１４−２５１３０１）を実施することが必要であり、本発明はこれらを実施する中で特に筆を吊り下げる方法と治具についての問題を解決するものである。
【課題を解決するための手段】
【０００５】  本発明は、背板を利用して化粧筆を吊り下げる場合の背板と筆の距離が調節できる機能を持った軸と、筆を保持・クランプする機構を一体的に結合したものである。まず筆の吊り下げ軸の長さを利用者が自由に調節できる構造として、軸を複数のパーツに分け、希望する長さに合わせてパーツを追加又は取り外しが出来る構造とするか、軸の中にバネを入れて伸縮させ長さを決めたところで固定できる構造とするか、軸全体を差し込み棒として差し込み棒上の最適な位置まで筆をスライドさせることが可能な構造とする。
次に、多様な太さ・長さ・形状の筆を吊り下げ軸に保持或いはクランプする機構は、板バネを使用して軸を両側から挟む板バネ式クランプ、洗濯バサミのようにコイルバネを利用して挟むコイルバネ式クランプ、革製などのバンドでバンド長さをバンド長さ調整ツマミで調節するバンド式クランプ、長さ調節可能な吊り下げ軸の先端に差し込み棒を付けるか吊り下げ軸全体を差し込み棒として、筆軸に開けた穴にその差し込み棒を差し込むか筆に紐を通して輪状とし、差し込み棒に引っ掛けることで保持する機構とする。
吊り下げ軸の背板への取付けは、既に弊方から特許願提出済みの「化粧筆の洗浄及び乾燥殺菌と保管の為の器具」（特願２０１４−２３３１１７）で提案しているもので、高さ設定板上で軸をスライドさせるか、軸の根元につけた磁石・吸盤などを利用することで可能である。
以上を特徴とする化粧筆の洗浄・乾燥・殺菌・保管の為の筆吊り下げ治具である。
【発明の効果】
【０００６】  この発明により、少ない空間に多様な太さ・長さ・形状の化粧筆を同時に効率的に吊り下げることが出来る。
すなわち、まず背板と吊り下げた筆との距離が調節できることと幅方向・高さ方向に吊り下げ軸を任意に移動できる為、限られた面積の１枚の背板に対して多様な太さ・長さの軸と毛先をした筆を、平面的に見て、より高い密度・効率で同時に配置して吊り下げることが可能となる。
また洗浄の為に超音波洗浄機を使用する場合に、前述の通り筆を吊り下げる高さを任意に調節できるので、多様な長さ・太さの筆の毛先を筆毎に超音波洗浄機の液面に対する浸漬レベルを個々に合わせて調節を行なうことが可能となる。
これらの機能は超音波洗浄機の液面積に対し同時に効率的に、より多くの筆を浸漬できるので複数の筆を一気に洗浄したい場合には入れ替え作業が少なくなるので洗浄作業が短縮できる効果もある。
すなわち、限られた空間により多くの種類と数の筆を、効率よく吊り下げることができ、吊り下げることで雑菌が発生しづらく、毛先の形が崩れにくい乾燥と保管の仕方が可能となる。
【図面の簡単な説明】
【０００７】
【図１】本発明を実施する時、背板への取付けに磁石を使用した場合の参考イメージ図
【図２】本発明を実施する時、背板への取付けに吸盤を使用した場合の参考イメージ図
【図３】本発明を実施する時、筆のクランプを板バネ方式で行なう場合の板バネの各種形状例を示すイメージ図
【図４】本発明を実施する時、筆のクランプをコイルばね方式で行なう場合の形状例を示す参考イメージ図
【図５】本発明を実施する時、筆のクランプをバンド方式で行なう場合の形状例を示すイメージ図
【図６】本発明を実施する時、筆の保持を差し込み方式で行なう場合の内、軸を延長部品式として先端部だけを差し込み棒にした場合の吊り下げ治具を示すイメージ図
【図７】本発明を実施する時、筆の保持を差し込み方式で行なう場合の内、軸全体を棒状にした場合の吊り下げ治具を示すイメージ図
【図８】本発明を実施する時、筆の保持を差し込み方式で行なう場合の差し込み軸の正面断面の各種形状例を示すイメージ図
【図９】本発明を実施する時、筆の保持を差し込み方式で行なう場合の差し込み軸の側面からの各種形状例を示すイメージ図
【図１０】本発明を実施する時、筆の保持を差し込み方式にする場合の内、軸を延長部品式にした場合の吊り下げ実施例を示すイメージ図
【図１１】本発明を実施する時、筆の保持を差し込み方式にする場合の内、軸全体を棒状にした場合の吊り下げ実施例を示すイメージ図
【図１２】筆吊り下げ軸が筆と背板との距離が調整できない機構の場合、限られたスペースへの筆吊り下げ本数が少なくなる実施例を示す水平方向から見たイメージ図
【図１３】筆吊り下げ軸が筆と背板との距離が調整できない機構の場合、限られたスペースへの筆吊り下げ本数が少なくなる実施例を示す上方から見たイメージ図
【図１４】本発明の筆保持方式で、筆と背板との距離を調整可能とした場合、限られたスペースへ効率的に筆を吊り下げることができる実施例を示す上方から見たイメージ図
【図１５】本発明の筆保持方式で、筆と背板との距離を調整可能とした場合、限られたスペースへ効率的に筆を吊り下げることができることを示し、又上下位置を自由に設定できることから洗浄機の液面に対し多種類の筆を同時に浸漬できる実施例を示す水平方向から見たイメージ図
【図１６】本発明の筆保持方式で、背板の上部から前面に水平に伸ばした天板から筆を吊り下げた場合の実施例を示すイメージ図
【発明を実施するための形態】
【０００８】  本発明は、背板（１）を利用して化粧筆を吊り下げる場合の、背板と筆の距離が調節できる機能を持った軸と、筆を保持・クランプする機構を一体的に結合したものである。まず筆の吊り下げ軸（４）の長さを利用者が自由に調節できる構造として、軸を複数のパーツに分け、希望する長さに合わせて追加又は取り外しが出来る構造とするか、軸の中にバネを入れて伸縮させ長さを決めたところで固定できる構造とするか、軸全体を差し込み棒（９）として棒上の最適な位置まで筆をスライドさせることが可能な構造とする。
次に、多様な太さ・長さ・形状の筆を吊り下げ軸（４）に保持或いはクランプする機構は、板バネを使用して軸を両側から挟む板バネ式クランプ（５）、洗濯バサミのようにコイルバネを利用して挟むコイルバネ式クランプ（６）、革製などのバンドでバンド長さをバンド長さ調整ツマミで調節するバンド式クランプ（７）、長さ調節可能な吊り下げ軸（４）の先端に差し込み棒（９）を付けるか吊り下げ軸（４）全体を差し込み棒（９）として、筆軸（２）に開けた穴にその差し込み棒（９）を差し込むか筆に紐を通して輪状とし、差し込み棒に引っ掛けることで保持する機構とする。
吊り下げ軸（４）の背板（１）への取付けは、既に弊方から特許願提出済みの「化粧筆の洗浄及び乾燥殺菌と保管の為の器具」（特願２０１４−２３３１１７）で提案しているもので、高さ設定板上で軸をスライドさせるか、軸の根元につけた磁石・吸盤などを利用することで可能である。
以上を特徴とする化粧筆の洗浄・乾燥・殺菌・保管の為の筆吊り下げ治具である。
以下吊り下げ方法に関する別の方法も含め、図面の説明をする。
イ、［図１］  背板（１）への吊り下げ軸（４）の取付けに磁石を利用する方法の場合の参考イメージ図である。図では筆をコイルバネを利用した洗濯バサミ様のもので保持しているがこれ自体は別の目的で既に市販されているものである。この市販具では水平方向への取付位置の延長が出来ないことと多様な太さと形状への対応が難しい。しかし吊り下げ軸（４）を磁石で背板（１）に取付ける点は参考にする。
ロ、［図２］  背板（１）への吊り下げ軸（４）の取付けを吸盤を利用する方法の場合の参考イメージ図である。図では筆をコイルバネを利用した洗濯バサミ様のもので保持しているがこれ自体は別の目的で既に市販されているものである。この市販具では水平方向への取付位置の延長が出来ないことと多様な太さと形状への対応が難しい。しかし吊り下げ軸を吸盤で背板に取付ける点は参考にする。
ハ、［図３］  板バネを利用して筆を保持する場合の板バネの形状候補イメージを示した。どんな形状であれ筆が保持できれば良い。
ニ、［図４］  コイルバネを利用して筆を保持する場合のコイルバネの形状候補イメージを示した。このクランプ部のイメージ形状は別の目的で既に市販されているが、どんな形状であれ筆が保持できれば良い。
ホ、［図５］  革製や布製等のバンドを利用して筆を保持する場合の形状イメージを示した。このバンドの長さを調整できるようにすれば小径品から大径品まで対応することができる。
ヘ、［図６］  軸部分は延長部品式で、先端部に差し込み棒（９）を取付けたものである。図３〜図５までと同様背板（１）と筆の吊り下げ位置の距離設定は軸延長部品の着脱又は伸縮設定などで行なう。
ト、［図７］  軸全体を差し込み棒（９）にしたもので、背板（１）と筆の吊り下げ位置の距離設定は、部品の増減や伸縮調整をすることなく出来るので大変容易となる。
チ、［図８］  差し込み棒（９）方式にした場合の棒の正面からの断面形状は、吊り下げたままで筆を揺籃する場合は円形が適当であり、揺れを防ぎたい場合は三角形や四角形など角のある形状が適している。いずれでも吊り下げの効果には影響がないと考えられる。
リ、［図９］  差し込み棒（９）方式にした場合の棒の側面からの断面形状は、先端部分を除きほぼ類似した形状になると考えられる。先端部分は吊り下げた状態から洗浄や乾燥・殺菌・保管の際に簡単に落下しないように先端部分にフックを付けた場合の側面から見た形状のイメージである。
ヌ、［図１０］背板（１）と筆の吊り下げ位置の距離設定を軸延長部品の着脱又は伸縮設定などで行なうが、図１１で紹介している方法と比較するとコストの点では少し劣ると思われる。
ル、［図１１］背板（１）と筆の吊り下げ位置の距離設定は、差し込み棒上の自由な位置に設定できるので位置調整が至極簡単であり、製作コストも安く出来る。
オ、［図１６］以上が本発明を実施する際の吊り下げ方法に関する諸形態であるが、次に記す方法でも可能である。これまでの説明では吊り下げ軸（４）を磁石・吸着盤等を使用して背板（１）に取付けていたが、背板の最上部から板を前面に水平に伸ばした天板（１１）から吊り下げ軸（４）をぶら下げる手法である。天板（１１）の大きさは真下にぶら下げた筆の毛先がその下に設置する超音波洗浄機（１０）に浸漬できる面積程度のものである。この場合、吊り下げ軸（４）をこれまで説明したようなものを使うこともできるが、天板（１１）にたくさんの穴を開けるか複数条の細い長穴を天板一面に施して、それらの穴を利用してぶら下げることができる。この場合吊り下げ軸（４）は硬度のあるものである必要はなく、超音波洗浄機（１０）液面までの距離を調節できるものであれば可能である。この方法は弊方から既に特許願提出済みの「化粧筆及び洗顔筆の構造」（特願２０１４−２５１３０１）で提案している筆軸（２）に通気穴を開ける処置等を利用すると吊り下げが容易となる。
【符号の説明】
【０００９】  １  背板
２  筆軸
３  背板接着部
４  吊り下げ軸
５  板バネ式クランプ
６  コイルバネ式クランプ
７  バンド式クランプ
８  バンド長調節ツマミ
９  差し込み棒
１０  超音波洗浄機
１１  天板
【図１】
2016154824.tif 000003
【図２】
2016154824.tif 000004
【図３】
2016154824.tif 000005
【図４】
2016154824.tif 000006
【図５】
2016154824.tif 000007
【図６】
2016154824.tif 000008
【図７】
2016154824.tif 000009
【図８】
2016154824.tif 000010
【図９】
2016154824.tif 000011
【図１０】
2016154824.tif 000012
【図１１】
2016154824.tif 000013
【図１２】
2016154824.tif 000014
【図１３】
2016154824.tif 000015
【図１４】
2016154824.tif 000016
【図１５】
2016154824.tif 000017
【図１６】
2016154824.tif 000018